(57)【特許請求の範囲】
【請求項１】
リザーバケースの内部に作動液を保有するリザーバと、パワーシリンダとをシリンダ本体に付設したマスタシリンダにおいて、
前記シリンダ本体側には、一端寄りの位置に形成した第１の係合部と、他端の外側に形成した第２の係合部とが設けられ、前記リザーバケースには、前記第１の係合部に対応する位置にあって変形強度が大きい第１の係止突起と、前記第２の係合部に対応する位置にあって弾性変形可能な第２の係止突起とが設けられ、前記第１の係合部および前記第１の係止突起と、前記第２の係合部および前記第２の係止突起とは互いに係止可能なフック形状にそれぞれ形成されており、
前記第１の係止突起を前記第１の係合部に係止させた状態にて前記第２の係止突起を弾性変形させつつ前記第２の係合部に係止させ、前記パワーシリンダの端面を前記第２の係止突起の弾性変形する方向と逆方向から当接させ、前記第２の係止突起が係止状態から外れる方向に弾性変形しないように前記パワーシリンダを前記シリンダ本体の他端の外側に組み付けていることを特徴とするマスタシリンダ。
【発明の詳細な説明】
【０００１】
【発明の属する技術分野】
本発明は、リザーバケースの内部にブレーキ液等の作動液を保有するリザーバと、パワーシリンダとをシリンダ本体に取付け付設したマスタシリンダに関するものである。
【０００２】
【従来の技術】
従来のマスタシリンダは、実開昭５９−１３３５２号公報に開示されたものにあっては、図４に示すように、シリンダ本体１側に、内孔２ａを有するボス部２と、このボス部２の側部に形成した一対のレール部３，３とを設け、リザーバ４側に、内孔２ａと連絡する開口５ａを有する供給部５と、レール部３，３に摺動自在に嵌合する案内部６とを備えている。
【０００３】
また、従来のマスタシリンダとして、特開平２−１２４３５３号公報に開示されたものにあっては、図５に示すように、圧力シリンダ１０側のポート１１に保持部１２を形成し、容器１３側に肩部１４ａを有する可撓性アーム１４を設け、該ポート１１に可撓性アーム１４を挿入し、肩部１４ａを保持部１２に係合させ抜け止めして、圧力シリンダ１０に容器１３が装着されている。
【０００４】
【発明が解決しようとする課題】
しかし、上記図４に示すマスタシリンダの場合は、シリンダ本体１とリザーバ４との結合が摺動結合のため、組付け時にシールが破損し易く、上記図５に示すマスタシリンダの場合は、可撓性アーム１４の弾性力で圧力シリンダ１０に容器１３を抜け止めしているため、弾性力を上回る外力が作用すると、容器１３が脱落するという欠点があった。
【０００５】
本発明は上記従来の欠点に鑑みなされたものであって、その目的とするところは、リザーバの組付け時におけるシールの破損を回避し、リザーバが脱落せず信頼性が高く、かつ装着の作業性向上を図ることができるマスタシリンダを提供することにある。
【０００６】
【課題を解決するための手段】
上記目的を達成するために、本発明は、リザーバケースの内部に作動液を保有するリザーバと、パワーシリンダとをシリンダ本体に付設したマスタシリンダにおいて、前記シリンダ本体側には、一端寄りの位置に形成した第１の係合部と、他端の外側に形成した第２の係合部とが設けられ、前記リザーバケースには、前記第１の係合部に対応する位置にあって変形強度が大きい第１の係止突起と、前記第２の係合部に対応する位置にあって弾性変形可能な第２の係止突起とが設けられ、前記第１の係合部および前記第１の係止突起と、前記第２の係合部および前記第２の係止突起とは互いに係止可能なフック形状にそれぞれ形成されており、前記第１の係止突起を前記第１の係合部に係止させた状態にて前記第２の係止突起を弾性変形させつつ前記第２の係合部に係止させ、前記パワーシリンダの端面を前記第２の係止突起の弾性変形する方向と逆方向から当接させ、前記第２の係止突起が係止状態から外れる方向に弾性変形しないように前記パワーシリンダを前記シリンダ本体の他端の外側に組み付けていることを特徴とする。
【０００７】
【発明の実施の形態】
図１は本発明の実施の形態に係るマスタシリンダにパワーシリンダを直結した制動倍力装置を示す一部破断側面図、図２はその正面図である。このマスタシリンダ１７は、シリンダ本体１８の後端にパワーシリンダ１９を直結してあり、シリンダ本体１８の上に装着したリザーバ２０を備えている。
【０００８】
また、マスタシリンダ１７は、シリンダ本体１８の一端寄りの外側に設けた第１の係合部２１と、他端の外側に設けた第２の係合部２２とを備え、第１の係合部２１及び第２の係合部２２にそれぞれ対応する位置におけるリザーバケース２３側に、変形強度が大きい第１の係止突起３１と、弾性変形可能な第２の係止突起３２とを設けてある。
【０００９】
そして、マスタシリンダ１７は、第１の係合部２１に第１の係止突起３１を係止した状態にて第２の係止突起３２を弾性変形させつつ第２の係合部２２に係止し抜け止めして、シリンダ本体１８の上にリザーバ２０を装着してある。
【００１０】
シリンダ本体１８は、前端寄り位置で上向きに突出した突出板２４と、後端にあってほぼ菱形をしたフランジ２６とを一体に備え、突出板２４とフランジ２６との間に先広がりテーパ状のボス孔２８ａを有する上向きの二つのボス部２８が突設されている。
【００１１】
第１の係合部２１は、シリンダ本体１８の外径とほぼ同じ一様な幅にて上向きに突出した突出板２４とその上端に設けた前向きのフック２５とによって構成されている。第２の係合部２２は、図３に示すように、フランジ２６の上部に一様な断面を有し真直に連続した係合溝２７と後に詳細に説明する抜け止め面４７とによって構成されている。
【００１２】
リザーバケース２３は、底板３３の前端寄り部分から下向きに突出した第１の係止突起３１と、後端板３４の外面から突出した第２の係止突起３２とを設けてあり、シリンダ本体１８の一方のボス部２８に対応する位置に短管部３５を一体に有し他方のボス部２８に対応する位置にも該短管部３５と同様の図示しない短管部を備えている。
【００１３】
第１の係止突起３１は、突出板２４とほぼ同一の幅をもってリザーバケース２３の底板３３に下向きに突出した係止板３６と、この係止板３６の下端で後方へ折曲形成したフック３７とを備え、幅及び厚さ寸法が比較的大きく、長さ寸法が比較的小さく設定されていて、変形強度が大きく、全体として変形し難い。
【００１４】
第２の係止突起３２は、リザーバケース２３の後端板３４から後方へ突出した横部４０と、この横部４０に続く下向きの縦部４１と、この縦部４１の下端で前向きに折曲形成したフック４２とを一体に有し、幅及び厚さ寸法が第１の係止突起３１に比較して小さく、縦部４１の長さ寸法が比較的大きく設定され、弾性変形可能である。
【００１５】
パワーシリンダシェル４５の前端板４６の外面には抜け止め面４７が形成されている。この抜け止め面４７は、パワーシリンダシェル４５の前端板４６に平らに形成されており、第２の係止突起３２のフック４２を係合溝２７に係止させた状態で縦部４１の外面が全面的に当接し、第２の係止突起３２を弾性変形し難くくし抜け止めしている。
【００１６】
本発明の上記実施の形態に係るマスタシリンダのシリンダ本体へのリザーバの装着について説明する。リザーバ２０を若干前方下がりに傾斜させた姿勢にて、第１の係合部２１のフック２５へ第１の係止突起３１のフック３７を引掛けた後、この引掛けた状態を保持したまま上記傾斜をなくす方向へリザーバ２０の姿勢を是正しながらボス部２８のボス孔２８ａへ短管部３５を挿入するとともに、第２の係止突起３２のフック４２を係合溝２７に嵌入させ係止すると、縦部４１の外面が抜け止め面４７に当接して、第２の係止突起３２の弾性変形が阻止され、図１に示すように、リザーバ２０は強固にシリンダ本体１８に装着される。
【００１７】
本発明の上記実施の形態に係るマスタシリンダ１７は、第１の係止突起３１及び第２の係止突起３２をリザーバケース２３に一体に設け、パワーシリンダシェル４５の外面に抜け止め面４７を形成してあるので、必要部品点数が少なく経済的であり、ボス孔２８ａが先広がりのテーパ状になっているので、ボス孔２８ａへ短管部３５を円滑に挿入することができるという利点がある。
【００１８】
なお、本発明は、上記実施の形態によって減縮されるものではなく、その要旨を変更しない範囲で種々の変形が可能である。例えば、パワーシリンダ１９が直結されていない場合には、シリンダ本体１８に固着した別部材に抜け止め面４７を形成することも可能であり、フック２５を後ろ向きに、フック３７を前向きにして、第１の係合部２１の後方に第１の係止突起３１を配置するようにしてもよく、係合溝２７を第２の係止突起のフック４２に対応する部分にのみ設けた部分溝としてもよい。
【００１９】
【発明の効果】
本発明は、リザーバケースの内部に作動液を保有するリザーバと、パワーシリンダとをシリンダ本体に付設したマスタシリンダにおいて、前記シリンダ本体側には、一端寄りの位置に形成した第１の係合部と、他端の外側に形成した第２の係合部とが設けられ、前記リザーバケースには、前記第１の係合部に対応する位置にあって変形強度が大きい第１の係止突起と、前記第２の係合部に対応する位置にあって弾性変形可能な第２の係止突起とが設けられ、前記第１の係合部および前記第１の係止突起と、前記第２の係合部および前記第２の係止突起とは互いに係止可能なフック形状にそれぞれ形成されており、前記第１の係止突起を前記第１の係合部に係止させた状態にて前記第２の係止突起を弾性変形させつつ前記第２の係合部に係止させ、前記パワーシリンダの端面を前記第２の係止突起の弾性変形する方向と逆方向から当接させ、前記第２の係止突起が係止状態から外れる方向に弾性変形しないように前記パワーシリンダを前記シリンダ本体の他端の外側に組み付けていることにより、リザーバの脱落防止が一層確実になり信頼性が向上する。
【図面の簡単な説明】
【図１】本発明の実施の形態に係るマスタシリンダにパワーシリンダを直結した制動倍力装置を示す一部破断側面図である。
【図２】図１の正面図である。
【図３】図１の係合溝の溝底の位置における部分正断面図である。
【図４】従来のマスタシリンダの部分縦断面図である。
【図５】従来の別のマスタシリンダの部分縦断面図である。
【符号の説明】
１７  マスタシリンダ
１８  シリンダ本体
２０  リザーバ
２１  第１の係合部
２２  第２の係合部
２３  リザーバケース
２５  第１の係合部のフック
２６  フランジ
２７  係合溝
２８    ボス部
２８ａ  ボス孔
３１  第１の係止突起
３２  第２の係止突起
３７    第１の係止突起のフック
４２  第２の係止突起のフック
４５  パワーシリンダシェル
４７  抜け止め面
【図１】
0003602910.tif 000002
【図２】
0003602910.tif 000003
【図３】
0003602910.tif 000004
【図４】
0003602910.tif 000005
【図５】
0003602910.tif 000006